(57)【要約】      （修正有）【課題】来訪者による呼び出しを他世帯に呼出転送して報知させ、この呼び出しに他世帯の居住者が応答して通話を成立させるにあたり、伝言メッセージを入力・録音する際の利便性を高める。【解決手段】玄関子機１ａ、１ｂからの親機呼び出しを他世帯の当該居室親機に呼出転送させる設定又は操作が設定・操作部２０ａ、２０ｂで行われている時、玄関子機からの親機呼び出しは他世帯の居室親機で報知され、通話終了を検出した他世帯の居室親機は表示部２３ａ、２３ｂを制御し、伝言メッセージ入力を、音声入力部２１ａ、２１ｂを使用するように他世帯の居住者に促す。対応した伝言メッセージは、自世帯又は他世帯の当該居室親機の録画再生部２５ａ、２５ｂに録音され、読み出された伝言メッセージは、自世帯の居室親機の発報部２１ａ、２１ｂから音響出力。【選択図】図１
2009159399.tif 000002
【特許請求の範囲】
【請求項１】
住戸玄関に設置され来訪者が親機呼び出しを行い通話を成立させるための子機通話部（１２ａ、１２ｂ）を有する玄関子機（１ａ、１ｂ）に接続され、当該玄関子機からの親機呼び出しが報知され当該親機呼び出しに応答した居住者が前記来訪者との間で通話を成立させるための親機通話部（２４ａ、２４ｂ）を有する自世帯及び他世帯の居室親機（２ａ、２ｂ）を伝送路（Ｌ2）を経由して相互に接続し、
前記居室親機にはそれぞれ、前記玄関子機からの自世帯宛ての親機呼び出しを他世帯の当該居室親機に呼出転送させるための設定又は操作を行う設定・操作部（２０ａ、２０ｂ）と、呼出転送された前記他世帯で当該玄関子機からの前記親機呼び出しを音響出力するための発報部（２１ａ、２１ｂ）と、前記呼出転送された他世帯で伝言メッセージを入力するための音声入力部（２２ａ、２２ｂ）と、前記発報部による前記親機呼び出しに前記他世帯の居住者が応答し前記親機通話部を使用して前記来訪者との間で通話を終了させた後、前記音声入力部から前記自世帯宛ての伝言メッセージの入力を促す入力喚起表示を行うための表示部（２３ａ、２３ｂ）と、前記呼出転送された他世帯の前記音声入力部にて入力された前記伝言メッセージを前記自世帯又は前記他世帯で録音し、前記自世帯の前記発報部から再生するための録音再生部（２５ａ、２５ｂ）と、前記設定・操作部、前記表示部及び前記録音再生部を制御するための制御部（２７ａ、２７ｂ）とを備えたことを特徴とする複数世帯用インターホン装置。
【請求項２】
前記玄関子機にはそれぞれ、前記来訪者の映像を撮像するための映像撮像部（１１ａ、１１ｂ）を備え、
前記居室親機にはそれぞれ、前記玄関子機の前記映像撮像部にて撮像された映像データの前記自世帯の当該居室親機の前記表示部への信号伝送路又は前記他世帯の当該居室親機の前記表示部への信号伝送路を切り替えて形成するとともに、前記玄関子機の前記子機通話部にて入出力される音声データの前記自世帯の当該居室親機の前記親機通話部との間の信号伝送路又は前記他世帯の当該居室親機の前記親機通話部との間の信号伝送路を切り替えて形成するための分配交換部（２６ａ、２６ｂ）を備えたことを特徴とする請求項１記載の複数世帯用インターホン装置。
【請求項３】
前記居室親機の前記発報部は、前記音声入力部の使用による前記伝言メッセージの入力を促すために音響出力することを特徴とする請求項１又は請求項２記載の複数世帯用インターホン装置。
【請求項４】
前記居室親機の前記表示部は、前記録音再生部に前記伝言メッセージが録音されたことを表示することを特徴とする請求項１乃至請求項３のうち何れか１項記載の複数世帯用インターホン装置。
【請求項５】
前記居室親機の前記設定・操作部は、前記玄関子機からの自世帯宛ての前記親機呼び出しを呼出転送させる他世帯の当該居室親機が複数ある場合、特定の他世帯の当該居室親機を指定して設定することを特徴とする請求項１乃至請求項４のうち何れか１項記載の複数世帯用インターホン装置。
【発明の詳細な説明】
【技術分野】
【０００１】
本発明は、同一の住戸に複数の世帯を有する複数世帯用のインターホン装置に係り、特に、自世帯からの親機呼び出しを他世帯に呼出転送して報知を行い、この親機呼び出しに応答して通話を成立させることができる複数世帯用インターホン装置に関する。
【背景技術】
【０００２】
従来から、同一の住戸に複数の世帯を有する複数世帯用のインターホン装置として、２世帯用住宅を構成する各住戸に設置される居室親機のうち、留守である一方の居室親機が呼び出されたときに他方の居室親機を呼び出すことができる２世帯用インターホン装置が開示されている（例えば、特許文献１を参照。）。
【０００３】
この２世帯用インターホン装置によれば、呼び出しのための呼出信号及び通話を成立させるための音声信号の伝送路であるラインの切り替えを、制御機を介して行うように構成しているため、２世帯用住宅を構成する各住戸のうち何れか一方の住戸に居住者が在宅であれば、呼び出しに応答することができる。これにより、居住者が在宅しているにも拘らず留守であるという来訪者の誤った判断を防止できる。
【０００４】
また、２世帯用住宅を構成する各住戸に設置される居室親機のうち、留守である一方の居室親機が呼び出されたときに他方の居室親機にて応答し、通話を成立させたときのように、来訪者により本来呼び出したいとされる所望の居住者でない他住戸の居住者が応答した場合において、所望の居住者への伝言があるか否かを来訪者に促し、メッセージを録音させるテレビドアホン装置が開示されている（例えば、特許文献２を参照。）。
【０００５】
【特許文献１】特願平１１−１０３３５４号公報
【特許文献２】特開２００２−２７１８７２１号公報
【発明の開示】
【発明が解決しようとする課題】
【０００６】
しかしながら、背景技術に記載した特許文献１の２世帯用インターホン装置に特許文献２のテレビドアホン装置が有するメッセージ録音機能を備えた場合において、所望の居住者への伝言があるか否かを来訪者に促し、メッセージを録音させる動作は、通話の成立時に限定されるものであり、来訪者が通話相手先である他住戸の居住者に伝えておけば足り得るメッセージを、その入力の喚起から予め来訪者に確認せねばならず、来訪者に不快感を与える虞があった。
【０００７】
本発明は、この難点を解消するためになされたもので、来訪者による自世帯からの親機呼び出しを他世帯に呼出転送して報知させ、この親機呼び出しに他世帯の居住者が応答して通話を成立させるにあたり、来訪者に不快感を与えることなく自世帯の居住者への伝言メッセージを入力・録音する際の利便性を高めた複数世帯用インターホン装置を提供することを目的としている。
【課題を解決するための手段】
【０００８】
前述の目的を達成するため、本発明の第１の態様である複数世帯用インターホン装置は、住戸玄関に設置され来訪者が親機呼び出しを行い通話を成立させるための子機通話部を有する玄関子機に接続され、当該玄関子機からの親機呼び出しが報知され当該親機呼び出しに応答した居住者が来訪者との間で通話を成立させるための親機通話部を有する自世帯及び他世帯の居室親機を伝送路を経由して相互に接続するものである。居室親機にはそれぞれ、玄関子機からの自世帯宛ての親機呼び出しを他世帯の当該居室親機に呼出転送させるための設定又は操作を行う設定・操作部と、呼出転送された他世帯で当該玄関子機からの親機呼び出しを音響出力するための発報部と、呼出転送された他世帯で伝言メッセージを入力するための音声入力部と、発報部による親機呼び出しに他世帯の居住者が応答し親機通話部を使用して来訪者との間で通話を終了させた後、音声入力部から自世帯宛ての伝言メッセージの入力を促す入力喚起表示を行うための表示部と、呼出転送された他世帯の音声入力部にて入力された伝言メッセージを自世帯又は他世帯で録音し、自世帯の発報部から再生するための録音再生部と、設定・操作部、表示部及び録音再生部を制御するための制御部とを備えている。
【０００９】
この複数世帯用インターホン装置によれば、玄関子機からの自世帯宛ての親機呼び出しを他世帯の当該居室親機に呼出転送させるための設定又は操作が居室親機の設定・操作部にて行われているとき、玄関子機からの自世帯宛ての親機呼び出しは他世帯の居室親機にて報知され、この親機呼び出しに応答した他世帯の居住者による通話が終了すると、これを検出した他世帯の居室親機の制御部は、表示部を制御して、自世帯の居住者への伝言メッセージの入力を、音声入力部を使用して行うように他世帯の居住者に促すことができる。これに対応した他世帯の居住者が音声入力部にて入力した伝言メッセージは、自世帯又は他世帯の当該居室親機の録画再生部に録音され、録音再生部から読み出された伝言メッセージは、自世帯の居室親機の発報部から音響出力させることができる。
【００１０】
また、本発明の第２の態様である複数世帯用インターホン装置は、本発明の第１の態様において、玄関子機にはそれぞれ、来訪者の映像を撮像するための映像撮像部を備えている。居室親機にはそれぞれ、玄関子機の映像撮像部にて撮像された映像データの自世帯の当該居室親機の表示部への信号伝送路又は他世帯の当該居室親機の表示部への信号伝送路を切り替えて形成するとともに、玄関子機の子機通話部にて入出力される音声データの自世帯の当該居室親機の親機通話部との間の信号伝送路又は他世帯の当該居室親機の親機通話部との間の信号伝送路を切り替えて形成するための分配交換部を備えている。
【００１１】
この複数世帯用インターホン装置によれば、居室親機の分配変換部の制御により、玄関子機の映像撮像部にて撮像された映像データの自世帯の当該居室親機の表示部への信号伝送路又は他世帯の当該居室親機の表示部への信号伝送路を切り替えて形成するとともに、玄関子機の子機通話部にて入出力される音声データの自世帯の当該居室親機の親機通話部との間の信号伝送路又は他世帯の当該居室親機の親機通話部との間の信号伝送路を切り替えて形成することができる。
【００１２】
また、本発明の第３の態様である複数世帯用インターホン装置は、本発明の第１の態様又は第２の態様において、居室親機の発報部は、音声入力部の使用による伝言メッセージの入力を促すために音響出力するものである。
【００１３】
この複数世帯用インターホン装置によれば、玄関子機からの自世帯宛ての親機呼び出しを他世帯の当該居室親機に呼出転送させるための設定又は操作が居室親機の設定・操作部にて行われているとき、玄関子機からの自世帯宛ての親機呼び出しは他世帯の居室親機にて報知され、この親機呼び出しに応答した他世帯の居住者による通話が終了すると、これを検出した他世帯の居室親機の制御部は、発報部を制御して、自世帯の居住者への伝言メッセージの入力を、音声入力部を使用して行うように他世帯の居住者に促すことができる。
【００１４】
また、本発明の第４の態様である複数世帯用インターホン装置は、本発明の第１の態様乃至第３の態様のうち何れか１の態様において、居室親機の表示部は、録音再生部に伝言メッセージが録音されたことを表示するものである。
【００１５】
この複数世帯用インターホン装置によれば、他世帯の居住者により居室親機の音声入力部にて入力された伝言メッセージが自世帯の居室親機の録画再生部又は他世帯の居室親機の録音再生部に録音されていることを、自世帯の居室親機の表示部に表示して自世帯の居住者に確認させせることができる。
【００１６】
また、本発明の第５の態様である複数世帯用インターホン装置は、本発明の第１の態様乃至第４の態様のうち何れか１の態様において、居室親機の設定・操作部は、玄関子機から自世帯宛ての親機呼び出しを呼出転送させる他世帯の当該居室親機が複数ある場合、特定の他世帯の当該居室親機を指定して設定するものである。
【００１７】
この複数世帯用インターホン装置によれば、玄関子機からの自世帯宛ての親機呼び出しを呼出転送させる他世帯の当該居室親機が複数ある場合、居室親機の設定・操作部を使用して特定の当該居室親機を指定し設定することができるため、より複数の世帯を有する住戸への適用が可能となる。
【発明の効果】
【００１８】
本発明の複数世帯用インターホン装置によれば、玄関子機からの自世帯宛ての親機呼び出しを他世帯の当該居室親機に呼出転送させるための設定又は操作が行われているとき、玄関子機からの自世帯宛ての親機呼び出しは他世帯の居室親機にて報知され、この親機呼び出しに応答した他世帯の居住者による通話が終了すると、自世帯の居住者への伝言メッセージの入力を他世帯の居住者に促すことができる。これに対応した他世帯の居住者による伝言メッセージは、自世帯の居室親機又は他世帯の居室親機に録音され、自世帯の居住者は、録音された伝言メッセージを再生させることができる。これにより、来訪者による自世帯からの親機呼び出しを他世帯に呼出転送して報知させ、この親機呼び出しに他世帯の居住者が応答して通話を成立させるにあたり、来訪者に不快感を与えることなく自世帯の居住者への伝言メッセージを入力・録音する際の利便性が高められる。
【発明を実施するための最良の形態】
【００１９】
以下、本発明の複数世帯用インターホン装置を適用した最良の実施の形態例について、図面を参照して説明する。
【００２０】
図１（ａ）は、本発明の実施例による複数世帯用インターホン装置の全体構成を示すシステム説明図である。同図に示す複数世帯用インターホン装置には、同一の住戸における複数の世帯、ここでは、２つの世帯を構成する世帯Ａ及び世帯Ｂの各住戸玄関に設置され、来訪者が親機呼び出しを行い通話を成立させるための玄関子機１ａ、１ｂと、世帯Ａ及び世帯Ｂの各住戸内に設置され、個別の伝送路（以下、子機／親機ラインという。）Ｌ1a、Ｌ1bを経由して接続された玄関子機１ａ、１ｂからの親機呼び出しが報知（呼出報知）され当該親機呼び出しに応答した居住者が来訪者との間で通話を成立させるための居室親機２ａ、２ｂとが設けられており、居室親機２ａ、２ｂの間は、伝送路（以下、世帯間ラインという。）Ｌ2を経由して相互に接続されている。
【００２１】
図１（ａ）に示す玄関子機１ａ、１ｂはそれぞれ同様な構成であり、子機操作部１０ａ、１０ｂ、映像撮像部１１ａ、１１ｂ及び子機通話部１２ａ、１２ｂが備えられている。
【００２２】
この玄関子機１ａ、１ｂにおいて、子機操作部１０ａ、１０ｂは、来訪者が親機呼び出しを行うために操作するものであり、例えば、呼出ボタンにて構成されている。
【００２３】
また、映像撮像部１１ａ、１１ｂは、呼出操作を行った来訪者の映像や住戸玄関の周囲近傍の映像（監視映像を含む。）を撮像するためのものであり、例えば、ＣＣＤ、ＣＭＯＳ等の各種のカメラ媒体にて構成されている。
【００２４】
さらに、子機通話部１２ａ、１２ｂは、来訪者が居住者との間で通話を成立させるための音声（送話音声、受話音声）を入出力するものであり、例えば、マイク１２０及びスピーカ１２１にて構成されている。
【００２５】
図１（ａ）に示す居室親機２ａ、２ｂはそれぞれ同様な構成であり、設定・操作部２０ａ、２０ｂ、発報部２１ａ、２１ｂ、音声入力部２２ａ、２２ｂ、表示部２３ａ、２３ｂ及び親機通話部２４ａ、２４ｂが備えられている。
【００２６】
この居室親機２ａ、２ｂにおいて、設定・操作部２０ａ、２０ｂは、玄関子機１ａ、１ｂからの自世帯宛ての親機呼び出しを他世帯の当該居室親機に呼出転送させるための設定又は操作を行うとともに、玄関子機１ａ、１ｂからの自世帯宛ての親機呼び出し又は呼出転送による他世帯の当該玄関子機からの親機呼び出しに居住者が応答するための操作を行うものあり、例えば、設定・操作ボタン、通話（応答）ボタン等の各種の押圧ボタンや表示部２３ａ、２３ｂの前面に配置されるタッチパネル等にて構成されている。
【００２７】
また、発報部２１ａ、２１ｂは、玄関子機１ａ、１ｂからの自世帯宛ての親機呼び出しがある旨の呼出音や音声メッセージ等を音響出力するとともに、呼出転送による他世帯の当該玄関子機からの親機呼び出しがある旨の呼出音や音声メッセージ等を音響出力し、さらには他世帯の居住者による伝言メッセージを音響出力するためのものであり、例えば、スピーカ２１０にて構成されている。
【００２８】
また、音声入力部２２ａ、２２ｂは、呼出転送による他世帯の当該居室親機において親機呼出先である自世帯宛ての伝言メッセージを入力するためのものであり、例えば、マイク２２０にて構成されている。
【００２９】
また、表示部２３ａ、２３ｂは、玄関子機１ａ、１ｂからの自世帯宛ての親機呼び出しに呼出転送先である他世帯の居住者が応答して通話を終了させた後、音声入力部２２ａ、２２ｂから自世帯宛ての伝言メッセージの入力を促す入力喚起表示を行うとともに、自世帯又は他世帯の当該玄関子機の映像撮像部１１ａ、１１ｂにて撮像された映像を出画するためのものであり、例えば、ＬＣＤ、ＴＦＴ、ＰＤＰ、有機ＥＬディスプレイ等の各種の出画・表示媒体にて構成されている。なお、表示部２３ａ、２３ｂは、前述の出画表示機能のみならず、玄関子機１ａ、１ｂからの自世帯宛ての親機呼び出しがある旨の呼出メッセージや絵データ等、呼出転送による他世帯の当該玄関子機からの親機呼び出しがある旨の呼出メッセージや絵データ等を表示する呼出報知機能が備えられている。
【００３０】
さらに、親機通話部２４ａ、２４ｂは、玄関子機１ａ、１ｂからの自世帯宛ての親機呼び出しに応答した居住者が来訪者との間で通話を成立させるための音声（送話音声、受話音声）を入出力するとともに、呼出転送による他世帯の当該玄関子機からの親機呼び出しに応答した居住者が来訪者との間で通話を成立させるための音声（送話音声、受話音声）を入出力するものであり、例えば、前述の発報部２１ａ、２１ｂを構成するスピーカ２１０及音声入力部２２ａ、２２ｂを構成するマイク２２０にて構成されている。
【００３１】
なお、親機通話部２４ａ、２４ｂとしては、前述のマイク２２０及びスピーカ２１０の構成に限定されるものではなく、例えば、居住者による応答操作として取り上げられ音声（送話音声、受話音声）を入出力することができるハンドセット（図示せず。）も好適とされる。
【００３２】
次に、居室親機２ａ、２ｂの具体的な構成について、図１（ｂ）のブロック図を参照して説明する。
【００３３】
図１（ｂ）に示す居室親機２ａ、２ｂにはそれぞれ、前述の設定・操作部２０ａ、２０ｂと、発報部２１ａ、２１ｂ（を構成するスピーカ２１０）と、音声入力部２２ａ、２２ｂ（を構成するマイク２２０）と、表示部２３ａ、２３ｂと、親機通話部２４ａ、２４ｂ（を構成するマイク２２０及びスピーカ２１０）と、録音再生部２５ａ、２５ｂと、分配変換部２６ａ、２６ｂと、制御部２７ａ、２７ｂと、子機接続用インターフェース（以下、子機接続用Ｉ／Ｆという。）２８ａ、２８ｂと、他親機接続用インターフェース（以下、他親機接続用Ｉ／Ｆという。）２９ａ、２９ｂとが備えられている。
【００３４】
この居室親機２ａ、２ｂにおいて、録画再生部２５ａ、２５ｂは、他世帯の当該居室親機の音声入力部２２ａ、２２ｂを構成するマイク２２０にて入力された伝言メッセージを自世帯又は他世帯で録音し、自世帯の当該居室親機の発報部２１ａ、２１ｂを構成するスピーカ２１０から再生（音響出力）するためのものであり、この録音機能としては、例えば、ＲＡＭ、ＥＥＰＲＯＭ等の各種の記憶媒体にて構成されている。
【００３５】
また、分配変換部２６ａ、２６ｂは、玄関子機１ａ、１ｂの映像撮像部１１ａ、１１ｂにて撮像された映像データの自世帯の当該居室親機の表示部２３ａ、２３ｂへの信号伝送路又は他世帯の当該居室親機の表示部２３ａ、２３ｂへの信号伝送路を切り替えて形成するとともに、玄関子機１ａ、１ｂの子機通話部１２ａ、１２ｂを構成するマイク１２０及びスピーカ１２１にて入出力される音声データの自世帯の当該居室親機の親機通話部２４ａ、２４ｂを構成するスピーカ２１０及びマイク２２０との間の信号伝送路又は他世帯の当該居室親機の親機通話部２４ａ、２４ｂを構成するスピーカ２１０及びマイク２２０との間の信号伝送路を切り替えて形成するためのものある。
【００３６】
また、制御部２７ａ、２７ｂは、設定・操作部２０ａ、２０ｂの使用による設定・操作を検出するとともに、表示部２３ａ、２３ｂ、録音再生部２５ａ、２５ｂ及び分配変換部２６ａ、２６ｂをそれぞれ制御するためのものである。この制御の一例としては、録音再生部２５ａ、２５ｂに伝言メッセージが録音されたことを表示部２３ａ、２３ｂに表示することができる。なお、制御部２７ａ、２７ｂは、玄関子機１ａ、１ｂからの自世帯宛ての親機呼び出しがある旨の報知（呼出報知）を、発報部２１ａ、２１ｂを構成するスピーカ２１０及び表示部２３ａ、２３ｂをそれぞれ使用して行うこともできる。
【００３７】
また、子機接続用Ｉ／Ｆ２８ａ、２８ｂは、分配変換部２６ａ、２６ｂ及び子機／親機ラインＬ1a、Ｌ1bの間で送受信される各種データの信号伝送路、制御部２７ａ、２７ｂ及び子機／親機ラインＬ1a、Ｌ1bの間で送受信される各種データの信号伝送路をそれぞれ形成するためのものである。
【００３８】
さらに、他親機接続用Ｉ／Ｆ２９ａ、２９ｂは、分配変換部２６ａ、２６ｂ及び世帯間ラインＬ2の間で送受信される各種データの信号伝送路、制御部２７ａ、２７ｂ及び世帯間ラインＬ2の間で送受信される各種データの信号伝送路をそれぞれ形成するためのものである。
【００３９】
このように構成された本発明の実施例による複数世帯用インターホン装置において、以下、具体的な動作について説明する。
【００４０】
図１（ａ）に示す同一の住戸における２つの世帯Ａ及び世帯Ｂのうち、例えば、世帯Ａの居住者が繁忙や外出等で住戸内を不在（留守）にする等の理由で、来訪者による自世帯宛ての親機呼び出しを他世帯である世帯Ｂの居住者に呼出転送させるにあたっては、その前提として、居室親機２ａの設定・操作部２０ａにて所定の呼出転送設定又はその操作を行う。この設定・操作は、図１（ｂ）に示す居室親機２ａの制御部２７ａにて検出される。
【００４１】
前述のような呼出転送の設定・操作が行われた後、世帯Ａへの来訪者が図１（ａ）に示す玄関子機１ａの子機操作部１０ａにて所定の呼出操作を行うと、子機／親機ラインＬ1a、図１（ｂ）に示す居室親機２ａの子機接続用Ｉ／Ｆ２８ａを経由して制御部２７ａに親機呼出データが伝送される。この親機呼出データを受信した制御部２７ａは、来訪者による自世帯宛ての親機呼び出しがあることを検出し、当該親機呼び出しを他世帯である世帯Ｂの居室親機２ｂへ呼出転送させるための親機呼出転送データを生成するとともに、分配交換部２６ａを制御して、子機接続用Ｉ／Ｆ２８ａ及び他親機接続用Ｉ／Ｆ２９ａの間の信号伝送路を形成することができる。また。居室親機２ａの制御部２７ａは、玄関子機１ａの映像撮像部１１ａを能動とし、呼出操作を行った来訪者の映像や世帯Ａの住戸玄関の周囲近傍の映像の撮像を開始させるとともに、玄関子機１ａの子機通話部１２ａを構成するマイク１２０から子機／親機ラインＬ1aへの信号伝送路を形成することができる。
【００４２】
図１（ｂ）に示す世帯Ａの居室親機２ａにおいて、制御部２７ａにて生成された親機呼出転送データは、他親機接続用Ｉ／Ｆ２９ａ、世帯間ラインＬ2、世帯Ｂの居室親機２ｂの他親機接続用Ｉ／Ｆ２９ｂを経由して制御部２７ｂに伝送される。この親機呼出転送データを受信した制御部２７ｂは、世帯Ａの玄関子機１ａにて呼出操作を行った来訪者からの親機呼び出しがあることを検出し、その旨の呼出音や音声メッセージ等を、発報部２１ｂを構成するスピーカ２１０から音響出力させるとともに、同様な旨の呼出メッセージや絵データ等を表示部２３ｂにて表示させて呼出転送による所定の報知（呼出報知）を行うことができる。また、居室親機２ｂの制御部２７ｂは、分配交換部２６ｂを制御して、他親機接続用Ｉ／Ｆ２９ｂから当該分配交換部を経由して表示部２３ｂへの信号伝送路と、他親機接続用Ｉ／Ｆ２９ｂから当該分配交換部を経由して親機通話部２４ｂを構成するスピーカ２１０への信号伝送路とをそれぞれ形成することができる。
【００４３】
前述までの制御により、図１（ａ）に示す玄関子機１ａの映像撮像部１１ａにて撮像された映像データは、子機／親機ラインＬ1a、図１（ｂ）に示す居室親機２ａの子機接続用Ｉ／Ｆ２８ａ、分配交換部２６ａ、他親機接続用Ｉ／Ｆ２９ａ、世帯間ラインＬ2、居室親機２ｂの他親機接続用Ｉ／Ｆ２９ｂ、分配交換部２６ｂ経由して表示部２３ｂに伝送され、世帯Ａの玄関子機１ａにて呼出操作を行った来訪者の映像や世帯Ａの住戸玄関の周囲近傍の映像が表示部２３ｂに出画されることになる。また、世帯Ａの住戸玄関に居る来訪者により玄関子機１ａの子機通話部１２ａを構成するマイク１２０にて入力された音声（送話音声）データは、子機／親機ラインＬ1a、居室親機２ａの子機接続用Ｉ／Ｆ２８ａ、分配交換部２６ａ、他親機接続用Ｉ／Ｆ２９ａ、世帯間ラインＬ2、居室親機２ｂの他親機接続用Ｉ／Ｆ２９ｂ、分配交換部２６ｂ経由して親機通話部２４ｂを構成するスピーカ２１０に伝送され、このスピーカ２１０から受話音声として音響出力されることになる。
【００４４】
次に、前述のような報知（呼出報知）、映像の出画及び受話音声の音響出力をもとに、世帯Ａの住戸玄関に居る来訪者からの呼出転送による親機呼び出しがあることを当該来訪者の識別と併せて確認できた世帯Ｂの住戸内に在室中の居住者は、その親機呼び出しに応答するにあたり、図１（ａ）、（ｂ）に示す居室親機２ｂの設定・操作部２０ｂにて所定の応答操作を行う。この操作を検出した制御部２７ｂは、応答通知データを生成して前述の呼出転送データと逆の信号伝送路を経由して居室親機２ａの制御部２７ａに送出することができる。また、居室親機２ｂの制御部２７ｂは、分配交換部２６ｂを制御して、親機通話部２４ｂを構成するマイク２２０から当該分配変換部を経由して他親機接続用Ｉ／Ｆ２９ｂへの信号伝送路を形成するとともに、他親機接続用Ｉ／Ｆ２９ｂから当該分配変換部を経由して親機通話部２４ｂを構成するスピーカ２１０への信号伝送路の形成を保持することができる。
【００４５】
図１（ｂ）に示す居室親機２ａの制御部２７ａは、居室親機２ｂの制御部２７ｂからの応答通知データを受信すると、分配交換部２６ａを制御して、他親機接続用Ｉ／Ｆ２９ａから当該分配変換部を経由して子機接続用Ｉ／Ｆ２８ａへの信号伝送路を形成するとともに、子機接続用Ｉ／Ｆ２８ａから当該分配変換部を経由して他親機接続用Ｉ／Ｆ２９ａへの信号伝送路の形成を保持することができる。
【００４６】
この後、世帯Ｂの住戸内に在室中の居住者により図１（ａ）、（ｂ）に示す居室親機２ｂの親機通話部２４ｂを構成するマイク２２０にて入力された音声（送話音声）データは、分配交換部２６ｂ、他親機接続用Ｉ／Ｆ２９ｂ、世帯間ラインＬ2、居室親機２ａの他親機接続用Ｉ／Ｆ２９ａ、分配交換部２６ａ、子機親機用Ｉ／Ｆ２８ａ、子機／親機ラインＬ1aを経由して玄関子機１ａの子機通話部１２ａを構成するスピーカ１２１に伝送され、このスピーカ１２１から受話音声として音響出力されることになる。一方、前述の呼出検出時より保持して形成されている信号伝送路をもとに、玄関子機１ａの子機通話部１２ａを構成するマイク１２０から居室親機２ａ及び他世帯間ラインＬ2を適宜経由して居室親機２ｂの親機通話部２４ｂを構成するスピーカ２１０に伝送される来訪者による音声（送話音声）データは、このスピーカ２１０から受話音声として音響出力されることにより、世帯Ａの住戸玄関に居る来訪者と世帯Ｂの住戸内に在室中の居住者との間の通話が成立されるため、世帯Ｂの居住者にとっては、来訪者の映像を確認しながらの通話が可能となる。
【００４７】
次に、前述までの通話を終了させるため、世帯Ｂの住戸内に在室中の居住者が図１（ａ）、（ｂ）に示す居室親機２ｂの設定・操作部２０ｂにて所定の終話操作を行うと、この操作を検出した制御部２７ｂは、分配交換部２６ｂを制御して、親機通話部２４ｂを構成するマイク２２０から当該分配変換部を経由して他親機接続用Ｉ／Ｆ２９ｂへの信号伝送路を遮断するとともに、他親機接続用Ｉ／Ｆ２９ｂから当該分配変換部を経由して親機通話部２４ｂを構成するスピーカ２１０への信号伝送路の形成を遮断することができる。また、居室親機２ｂの制御部２７ｂは、終話通知データを生成して前述の応答通知データと同一の信号伝送路を経由して居室親機２ａの制御部２７ａに送出するとともに、世帯Ａの居住者への伝言メッセージの入力を喚起するための音声メッセージを、発報部２１ｂを構成するスピーカ２１０から音響出力させることができる。なお、世帯Ａの居住者への伝言メッセージの入力を喚起する手段としては、前述のような発報部２１ｂを構成するスピーカ２１０からの音声メッセージの音響出力に限定されるものではく、例えば、同様な意の文字メッセージや絵データ等を制御部２７ｂの制御により表示部２３ｂへ表示させることもできる。
【００４８】
図１（ｂ）に示す居室親機２ａの制御部２７ａは、居室親機２ｂの制御部２７ｂからの終話通知データを受信すると、分配交換部２６ａを制御して、他親機接続用Ｉ／Ｆ２９ａから当該分配変換部を経由して子機接続用Ｉ／Ｆ２８ａへの信号伝送路を遮断するとともに、子機接続用Ｉ／Ｆ２８ａから当該分配変換部を経由して他親機接続用Ｉ／Ｆ２９ａへの信号伝送路の形成を遮断することができる。
【００４９】
次に、前述の入力喚起を確認した世帯Ｂの住戸内に在室中の居住者は、世帯Ａの居住者への伝言メッセージを入力するにあたり、その前提として、図１（ａ）、（ｂ）に示す居室親機２ｂの設定・操作部２０ｂにて所定の伝言入力操作を行う。この操作を検出した制御部２７ｂは、伝言入力通知データを生成して前述の応答通知データ及び終話通知データと同一の信号伝送路を経由して居室親機２ａの制御部２７ａに送出することができる。また、居室親機２ｂの制御部２７ｂは、分配交換部２６ｂを制御して、音声入力部２２ｂを構成するマイク２２０から当該分配変換部を経由して他親機接続用Ｉ／Ｆ２９ｂへの信号伝送路を形成することができる。さらに、居室親機２ｂの制御部２７ｂは、録音再生部２５ｂを録音可能な状態に制御するとともに、分配交換部２６ｂを制御して、音声入力部２２ｂを構成するマイク２２０から当該分配変換部を経由して録音再生部２５ｂへの信号伝送路を形成することもできる。
【００５０】
図１（ｂ）に示す居室親機２ａの制御部２７ａは、居室親機２ｂの制御部２７ｂからの伝言入力通知データを受信すると、分配交換部２６ａを制御して、他親機接続用Ｉ／Ｆ２９ａから当該分配変換部を経由して録音再生部２５ａへの信号伝送路を形成するとともに、この録音再生部２５ａを録音可能な状態に制御することができる。
【００５１】
前述までの制御により、世帯Ｂの住戸内に在室中の居住者により図１（ａ）、（ｂ）に示す居室親機２ｂの音声入力部２２ｂを構成するマイク２２０にて入力された音声である伝言メッセージは、分配変換部２６ｂ、他親機接続用Ｉ／Ｆ２９ｂ、世帯間ラインＬ2、居室親機２ａの他親機接続用Ｉ／Ｆ２９ａ、分配交換部２６ａを経由して録音再生部２５ａへ伝送された後に録音される態様、又は分配変換部２６ｂ、他親機接続用Ｉ／Ｆ２９ｂを経由して録音再生部２５ｂへと伝送された後に録音される態様のうち何れか１の態様で録音されることになる。また、居室親機２ａの制御部２７ａは、世帯Ｂの住戸内に在室中の居住者による伝言メッセージが録音再生部２５ａ又は居室親機２ｂの録音再生部２５ｂに録音されたことを確認させる文字メッセージや絵データ等を表示部２３ａに表示させることができる。
【００５２】
次に、世帯Ｂの住戸内に在室中の居住者により図１（ａ）、（ｂ）に示す居室親機２ｂの音声入力部２２ｂを構成するマイク２２０にて入力された音声である自世帯Ａ宛ての伝言メッセージが居室親機２ａの録音再生部２５ａにのみ録音されている状態において、世帯Ａの居住者が繁忙から解かれた場合や外出等から住戸内に帰宅したとき、居室親機２ａの表示部２３ａに表示されている伝言メッセージがある旨、すなわち、呼出転送先であり応答して通話を成立させた世帯Ｂの居住者からの伝言メッセージがある旨を確認した世帯Ａの居住者が設定・操作部２０ａにて所定の再生操作を行うと、この操作を検出した制御部２７ａの制御により、録音再生部２５ａに録音されていた伝言メッセージが読み出され、発報部２１ａを構成するスピーカ２１０から音響出力させることができる。
【００５３】
一方、世帯Ｂの住戸内に在室中の居住者により図１（ａ）、（ｂ）に示す居室親機２ｂの音声入力部２２ｂを構成するマイク２２０にて入力された音声である自世帯Ａ宛ての伝言メッセージが居室親機２ｂの録音再生部２５ｂにのみ録音されている状態において、居室親機２ａの表示部２３ａに表示されている伝言メッセージがある旨、すなわち、呼出転送先であり応答して通話を成立させた世帯Ｂの居住者からの伝言メッセージがある旨を確認した世帯Ａの居住者が設定・操作部２０ａにて所定の再生操作を行うと、この操作を検出した制御部２７ａは、読出制御データを生成して前述の親機呼出転送データと同一の信号伝送路を経由して居室親機２ｂの制御部２７ｂに送出することができる。また、居室親機２ａの制御部２７ａは、分配交換部２６ａを制御して、他親機接続用Ｉ／Ｆ２９ａから当該分配変換部を経由して発報部２１ａを構成するスピーカ２１０への信号伝送路を形成することができる。
【００５４】
図１（ｂ）に示す居室親機２ｂの制御部２７ｂは、居室親機２ａの制御部２７ａからの読出制御データを受信すると、分配交換部２６ｂを制御して、録音再生部２５ｂから当該当該分配変換部を経由して他親機接続用Ｉ／Ｆ２９ｂへの信号伝送路を形成するとともに、録音再生部２５ｂから読み出した伝言メッセージを、前述の形成された信号伝送路を経由して居室親機２ａの発報部２１ａを構成するスピーカ２１０に伝送し、このスピーカ２１０から音響出力させることができる。
【００５５】
なお、前述までの説明では、図１（ａ）に示す同一の住戸における２つの世帯Ａ及び世帯Ｂのうち、世帯Ａの居住者が繁忙や外出等で住戸内を不在（留守）にする等の理由で、来訪者による自世帯Ａ宛ての呼び出しを他世帯である世帯Ｂの居住者に呼出転送させた場合の各種動作について説明したが、この動作に限定されるものではない。例えば、世帯Ｂの居住者が繁忙や外出等で住戸内を不在（留守）にする等の理由で、来訪者による自世帯Ｂ宛ての呼び出しを他世帯である世帯Ａの居住者に呼出転送させた場合の各種動作についても同様に行うことができる。
【００５６】
また、前述までの説明では、同一の住戸における複数の世帯として２つの世帯Ａ及び世帯Ｂを適用し、この世帯Ａ及び世帯Ｂのうち何れか１の世帯宛ての親機呼び出しを他世帯に呼出転送させるように、呼出転送先は１つの当該居室親機であったが、この態様に限定されるものではない。例えば、本発明の別途の実施例による複数世帯用インターホン装置として、図２のブロック図に示すように、同一の住戸における複数の世帯として、より複数の世帯Ａ、世帯Ｂ、世帯Ｃ、・・・が設けられていた場合、伝送路Ｌ2を経由して相互に接続される個別の親機番号を有する居室親機２ａ、２ｂ、２ｃ、・・・の当該設定・操作部（図示せず。）は、玄関子機１ａ、１ｂ、１ｃ、・・・からの自世帯宛ての親機呼び出しを呼出転送させる他世帯の当該居室親機として、特定の他世帯の当該居室親機を、親機番号をもとに指定し設定することもできる。
【００５７】
最後に、本発明の複数世帯用インターホン装置においては、特定の実施の形態をもって説明してきたが、この形態に限定されるものでなく、本発明の効果を奏する限り、これまで知られた如何なる構成の複数世帯用インターホン装置であっても採用できるということはいうまでもないことである。
【図面の簡単な説明】
【００５８】
【図１】図１（ａ）は、本発明の実施例による複数世帯用インターホン装置の全体構成を示すシステム説明図である。また、図１（ｂ）は、同実施例において、居室親機の具体的な構成を示すブロック図である。
【図２】図２は、本発明の他の実施例による複数世帯用インターホン装置の全体構成を示すブロック図である。
【符号の説明】
【００５９】
１ａ、１ｂ……複数の子機
１１ａ、１１ｂ……映像撮像部
１２ａ、１２ｂ……子機通話部
２ａ、２ｂ……複数の親機
２０ａ、２０ｂ……設定・操作部
２１ａ、２１ｂ……発報部
２２ａ、２２ｂ……音声入力部
２３ａ、２３ｂ……表示部
２４ａ、２４ｂ……親機通話部
２５ａ、２５ｂ……録音再生部
２６ａ、２６ｂ……分配交換部
２７ａ、２７ｂ……制御部
Ｌ2……世帯間ライン（伝送路）
【図１】
2009159399.tif 000003
【図２】
2009159399.tif 000004